(57)【要約】【課題】飲料を容易に冷却することができるだけでなく、衛生的な飲料を供給することができる飲料供給装置を提供すること。【解決手段】飲料が入れられた飲料用袋体を収容する収容部７ａと、前記収容部７ａに収容された飲料用袋体の内部を、それぞれが連通した状態で複数の部屋に仕切る仕切り部３と、前記仕切り部３によって仕切られた複数の部屋のうち、一部の部屋の飲料を冷却する冷却部９と、前記一部の部屋に設けられて前記一部の部屋の飲料を注水する注水口が配置される注水部とを備えることを特徴とする。【選択図】図１
0003166296.tif 000002
【実用新案登録請求の範囲】
【請求項１】
飲料が入れられた飲料用袋体を収容する収容部と、
前記収容部に収容された飲料用袋体の内部を、それぞれが連通した状態で複数の部屋に仕切る仕切り部と、
前記仕切り部によって仕切られた複数の部屋のうち、一部の部屋の飲料を冷却する冷却部と、
前記一部の部屋に設けられて前記一部の部屋の飲料を注水する注水口が配置される注水部と
を備えることを特徴とする飲料供給装置。
【請求項２】
前記仕切り部は、前記飲料用袋体の外方から前記飲料用袋体を押圧することにより、前記飲料用袋体の内部を前記複数の部屋に仕切る押圧部であることを特徴とする請求項１に記載の飲料供給装置。
【請求項３】
前記収容部を開閉する開閉蓋を備え、
前記押圧部は、前記開閉蓋に設けられていることを特徴とする請求項２に記載の飲料供給装置。
【請求項４】
前記押圧部の押圧面に、凹部が設けられていることを特徴とする請求項２または請求項３に記載の飲料供給装置。
【請求項５】
前記注水部および前記冷却部は、前記押圧面の幅方向の中央部に配置され、
前記凹部は、前記押圧面の幅方向の両端部のうち、少なくともいずれか一方に設けられていることを特徴とする請求項４に記載の飲料供給装置。
【請求項６】
前記収容部は、前記飲料用袋体が載置される底面部を備え、
前記底面部の幅方向の両端部は、前記底面部の中央部よりも下方に配置されていること特徴とする請求項１から請求項５のいずれか一項に記載の飲料供給装置。
【請求項７】
前記一部の部屋の周囲に断熱材が設けられていることを特徴とする請求項１から請求項６のいずれか一項に記載の飲料供給装置。
【請求項８】
前記収容部は、前記飲料用袋体が載置される底面部を備え、
前記底面部は、前記一部の部屋が載置される注水用載置部と、前記一部の部屋以外の部屋が載置される収容用載置部とを備え、
前記注水用載置部と前記収容用載置部とは、前記注水部に向けられて下方に傾斜しており、前記注水用載置部の傾斜角度が前記収容用載置部の傾斜角度よりも大きくなっていることを特徴とする請求項１から請求項７のいずれか一項に記載の飲料供給装置。
【請求項９】
前記仕切り部の幅方向の中央部は、前記仕切り部の幅方向の両端部より、前記収容用載置部の側に配置されていることを特徴とする請求項８に記載の飲料供給装置。
【請求項１０】
飲料を供給する飲料供給装置に使用される飲料用袋体であって、
飲料が入れられる袋体本体部と、
前記袋体本体部の内部を、それぞれが連通した状態で複数の部屋に仕切る袋体仕切り部と、
前記袋体仕切り部によって仕切られた複数の部屋のうち、一部の部屋の飲料を注水する注水口とを備えることを特徴とする飲料用袋体。
【考案の詳細な説明】
【技術分野】
【０００１】
本考案は、飲料を供給する飲料供給装置および飲料用袋体に関する。
【背景技術】
【０００２】
従来、例えば水などの飲料を供給する飲料供給装置が利用されている。具体的には、以下の第１および第２の飲料供給装置が知られている。
第１の飲料供給装置は、飲料水が入れられた飲料用袋体を収容する収容部と、この収容部に入れられた飲料水を貯留するタンクと、このタンクに貯留した飲料水を冷却する冷却部と、この冷却部によって冷却された飲料水を注水する注水部とを備えている（例えば、特許文献１参照。）。この第１の飲料供給装置においては、飲料用袋体内の飲料水を一旦タンクに貯留しておき、タンク内の飲料水を冷却部によって冷却してから、その飲料水を注水部から注水するようになっている。
【０００３】
また、第２の飲料供給装置は、飲料水が入れられた飲料用袋体を収容する収容部と、この収容部に入れられた飲料水を冷却する冷却部と、この冷却部によって冷却された飲料水を注水する注水部とを備えている。すなわち、第２の飲料供給装置においては、タンクを利用することなく、飲料用袋体内の飲料水を冷却部によって直接冷却してから、その飲料水を注水部から注水するようになっている。
【０００４】
しかしながら、上記第１の飲料供給装置では、飲料用袋体内の一部のみの飲料水をタンクに貯留して冷却することにより、冷却時間と冷却コストを減少させることができるものの、冷却水がタンク内で空気に触れることにより、菌が増殖し易くなってしまうという問題がある。
一方、上記第２の飲料供給装置では、飲料用袋体内の飲料水をタンクに出すことなく直接冷却してから注水することにより、菌の増殖を抑制することができるものの、飲料用袋体内の飲料水を冷却するための冷却時間と冷却コストが増大してしまうという問題がある。
【先行技術文献】
【特許文献】
【０００５】
【特許文献１】特開２０１０−１４３６３０号公報
【考案の概要】
【考案が解決しようとする課題】
【０００６】
本考案は、このような問題を解決するためになされたものであり、飲料を容易に冷却することができるだけでなく、衛生的な飲料を供給することができる飲料供給装置および飲料用袋体を提供することを目的とする。
【課題を解決するための手段】
【０００７】
上記課題を解決するために、本考案は以下の手段を提供する。
本考案は、飲料が入れられた飲料用袋体を収容する収容部と、前記収容部に収容された飲料用袋体の内部を、それぞれが連通した状態で複数の部屋に仕切る仕切り部と、前記仕切り部によって仕切られた複数の部屋のうち、一部の部屋の飲料を冷却する冷却部と、前記一部の部屋に設けられて前記一部の部屋の飲料を注水する注水口が配置される注水部とを備えることを特徴とする。
【０００８】
この考案においては、収容部に収容された飲料用袋体の内部が、仕切り部によって複数の部屋に仕切られる。そして、冷却部によって、一部の部屋の飲料が冷却され、当該一部の部屋の飲料が、注水部において、注水口から注水される。
これにより、一部の部屋の飲料を容易に冷却することができるだけでなく、衛生的な飲料を供給することができる。
なお、ここで「一部の部屋」とは、一つの部屋であってもよいし、複数の部屋であってもよい。
【０００９】
また、本考案は、前記仕切り部が、前記飲料用袋体の外方から前記飲料用袋体を押圧することにより、前記飲料用袋体の内部を前記複数の部屋に仕切る押圧部であることを特徴とする。
【００１０】
この考案によれば、押圧部によって飲料用袋体を押圧するという簡易な動作だけで、飲料用袋体の内部を、複数の部屋に容易に仕切ることができる。
【００１１】
また、本考案は、前記収容部を開閉する開閉蓋を備え、前記押圧部が、前記開閉蓋に設けられていることを特徴とする。
【００１２】
この考案によれば、開閉蓋を閉めるという簡易な動作だけで、飲料用袋体の内部を、複数の部屋に容易に仕切ることができる。
【００１３】
また、本考案は、前記押圧部の押圧面に、凹部が設けられていることを特徴とする。
【００１４】
この考案によれば、複数の部屋間の流路を容易に形成することができる。
【００１５】
また、本考案は、前記注水部および前記冷却部が、前記押圧面の幅方向の中央部に配置され、前記凹部が、前記押圧面の幅方向の両端部のうち、少なくともいずれか一方に設けられていることを特徴とする。
【００１６】
この考案によれば、冷却されていない水が一部の部屋に流入してきた場合であっても、既に流入している一部の部屋の中央部の水を優先的に冷却することができる。そのため、一部の部屋の中央部の冷却された水を優先的に注水することができる。
【００１７】
また、本考案は、前記収容部が、前記飲料用袋体が載置される底面部を備え、前記底面部の幅方向の両端部が、前記底面部の中央部よりも下方に配置されていること特徴とする。
【００１８】
この考案によれば、飲料用袋体内の水を自重により幅方向の両端部に流動させることができる。そのため、飲料用袋体内の水の残留を抑制することができる。
【００１９】
また、本考案は、前記一部の部屋の周囲に断熱材が設けられていることを特徴とする。
【００２０】
この考案によれば、一部の部屋内の水を冷却したときに生じる結露を防止することができる。また、断熱材を、一部の部屋の周囲に設ければいいので、断熱材の材料費を削減することができる。
【００２１】
また、本考案は、前記収容部が、前記飲料用袋体が載置される底面部を備え、前記底面部は、前記一部の部屋が載置される注水用載置部と、前記一部の部屋以外の部屋が載置される収容用載置部とを備え、前記注水用載置部と前記収容用載置部とは、前記注水部に向けられて下方に傾斜しており、前記注水用載置部の傾斜角度が前記収容用載置部の傾斜角度よりも大きくなっていることを特徴とする。
【００２２】
この考案によれば、飲料用袋体を前方に傾斜させることにより、飲料用袋体内の水を前方に流動させることができる。そのため、注水口から水を注水し易くすることができるだけでなく、袋体内の水の残留を抑制することができる。
また、注水用載置部の傾斜角度が収容用載置部の傾斜角度よりも大きくなっていることから、収容用載置部上の飲料用袋体が前方に移動してしまうことを防止しつつ、注水用載置部上の部屋内の水を注水部に流動させることができ、飲料用袋体内の水の残留を効果的に抑制することができる。
【００２３】
また、本考案は、前記仕切り部の幅方向の中央部は、前記仕切り部の幅方向の両端部より、前記収容用載置部の側に配置されていることを特徴とする。
【００２４】
この考案によれば、一部の部屋以外の部屋内の水が仕切り部に向かって流動したときに、その水を幅方向の両端部に案内することができ、水の残留を抑制することができる。
【００２５】
また、本考案は、飲料を供給する飲料供給装置に使用される飲料用袋体であって、飲料が入れられる袋体本体部と、前記袋体本体部の内部を、それぞれが連通した状態で複数の部屋に仕切る袋体仕切り部と、前記袋体仕切り部によって仕切られた複数の部屋のうち、一部の部屋の飲料を注水する注水口とを備えることを特徴とする。
【００２６】
この考案によれば、一部の部屋の飲料のみを冷却することにより、飲料を容易に冷却することができるだけでなく、衛生的な飲料を供給することができる。
なお、ここで「一部の部屋」とは、一つの部屋であってもよいし、複数の部屋であってもよい。
【考案の効果】
【００２７】
本考案によれば、飲料水を容易に冷却することができるだけでなく、衛生的な飲料を供給することができる。
【図面の簡単な説明】
【００２８】
【図１】本考案の第１の実施形態における飲料水供給装置を示す図であって、開閉蓋が開いたときの様子を示す側面図である。
【図２】図１の開閉蓋が閉じられたときの様子を示す側面図である。
【図３】図１の飲料水供給装置を正面から見たときの様子を示す正面図である。
【図４】図２の収容部を上から透過的に表した様子を示す平面図である。
【図５】図１の収容部に飲料用袋体が収容された様子を示す説明図である。
【図６】図５の開閉蓋を閉じて、飲料用袋体の内部が複数の部屋に仕切られた様子を示す説明図である。
【図７】図６の収容部を上から透過的に表した様子を示す平面図である。
【図８】図６の飲料用袋体、断熱材および底面部のみを後方から見たときの様子を示す説明図である。
【図９】本考案の第２の実施形態における飲料水供給装置を示す斜視図である。
【図１０】飲料用袋体の変形例を示す平面図である。
【考案を実施するための最良の形態】
【００２９】
（実施形態１）
以下、本考案の第１の実施形態における飲料水供給装置（飲料供給装置）について、図面を参照して説明する。
図１に示すように、飲料水供給装置１は、筐体としての本体部７と、この本体部７に設けられた開閉蓋２とを備えている。
本体部７は、矩形状の台座部７ｃと、この台座部７ｃから上方に立ち上げられた本体中央部７ｂと、この本体中央部７ｂの上端に設けられた収容部７ａとを備えている。
収容部７ａは、飲料が入れられた飲料用袋体Ｆ（図５に示す）を収容するものである。この収容部７ａは、矩形状の底面部６と、この底面部６の周囲に立ち上げられた周壁部８とを備えている。周壁部８のうち、本体中央部７ｂの正面側には、図３に示すように、上端から下方に切り欠かれた切り欠き部（注水部）８ａが形成されている。切り欠き部８ａは、周壁部８のうち、本体部７の幅方向Ｗの中央部に形成されている。この切り欠き部８ａには、飲料用袋体Ｆに設けられた注水口Ｇが配置されるようになっている。すなわち、注水口Ｇは、切り欠き部８ａに着脱可能に嵌め込まれることにより、固定されるようになっている。
このような構成のもと、図５に示すように、飲料用袋体Ｆは、注水口Ｇが切り欠き部８ａによって固定された状態で、周壁部８内において底面部６上に載置されることにより、横に寝かされて収容部７ａに収容されるようになっている。
【００３０】
底面部６は、本体底面部（収容用載置部）６ｂと、この本体底面部６ｂの前端に一体に設けられた前端底面部（注水用載置部）６ａとを備えている。
本体底面部６ｂは、切り欠き部８ａに向かって（後方から前方に向かって）傾斜している。なお、ここで後方および前方とは、本体部７の奥行方向Ｄをいう。さらに、本体底面部６ｂは、図３に示すように、正面視して上方に湾曲して形成されている。すなわち、本体底面部６ｂの幅方向Ｗの両端部が、幅方向Ｗの中央部よりも下方に配置されている。また、本体底面部６ｂには、全面にわたって、矩形板状の断熱材５ｂが設けられている。
【００３１】
また、図１に示すように、前端底面部６ａは、切り欠き部８ａに向かって（後方から前方に向かって）傾斜している。この前端底面部６ａの傾斜角度θ１は、本体底面部６ｂの傾斜角度θ２よりも大きくなっている。すなわち、本体底面部６ｂは、前端底面部６ａに対して相対的に緩やかな角度で前方に傾斜しており、前端底面部６ａは、本体底面部６ｂに対して相対的に急な角度で前方に傾斜している。なお、傾斜角度とは、側面視して、底面部６の延在する線と、水平線とのなす角度をいう。
さらに、図４に示すように、前端底面部６ａのうち、幅方向Ｗの両端部には、略三角形状に形成された一対の断熱材５ａが設けられている。断熱材５ａは、肉厚に形成されている。そのため、前端底面部６ａに断熱材５ａを介して飲料用袋体Ｆが載置されると、飲料用袋体Ｆの幅方向Ｗの両端部のうち、断熱材５ａに載置された部分（前端部）が、飲料用袋体Ｆの幅方向Ｗの中央部に対して上方に持ち上げられるようになっている。すなわち、断熱材５ａは、スペーサとして機能する。
【００３２】
また、図１に示すように、本体中央部７ｂの内方には、前端底面部６ａを冷却する冷却部９が設けられている。すなわち、冷却部９は、前端底面部６ａ上に載置された飲料用袋体Ｆ内の水を、前端底面部６ａを介して冷却するようになっている。
冷却部９は、放熱用のファン９ａと、ペルチェモジュール９ｂと、電源部９ｃとを備えている。
ペルチェモジュール９ｂは、吸熱部９ｂ１と放熱部９ｂ２とを備えている。吸熱部９ｂ１は、前端底面部６ａに近接して配置されている。さらに、吸熱部９ｂ１は、図４に示すように、前端底面部６ａ下方のうち、幅方向Ｗの中央部であって、かつ奥行方向Ｄの前方側に配置されている。すなわち、吸熱部９ｂ１は、切り欠き部８ａの近傍に配置されている。
また、図１に示すように、放熱部９ｂ２は、放熱フィンを備えており、本体中央部７ｂの後方側に配置されている。
【００３３】
ファン９ａは、本体中央部７ｂの後方に形成された不図示の開口部と、放熱部９ｂ２との間に配置されている。
電源部９ｃは、放熱用のファン９ａと、ペルチェモジュール９ｂとに電源を供給するようになっている。
このような構成のもと、吸熱部９ｂ１が周囲を吸熱すると、その熱は放熱部９ｂ２から放熱されるようになっている。このとき、ファン９ａは、本体中央部７ｂの開口部を介して空気を流入させて、その空気を放熱部９ｂ２に送ることにより、放熱効率を向上させるようになっている。
【００３４】
また、開閉蓋２は、回転軸部１１を介して、周壁部８の後方側に取り付けられている。さらに、開閉蓋２は、周壁部８の開口面積と同サイズで矩形板状に形成されている。すなわち、開閉蓋２は、回転軸部１１を介してＡ方向に回転することにより、周壁部８の開口部を開閉するようになっている。具体的には、開閉蓋２の前端を持ち上げると、回転軸部１１を介して開閉蓋２が回転し、これにより周壁部８の開口部が解放されるようになっている。一方、開閉蓋２の前端を下げると、図２に示すように、開閉蓋２によって、周壁部８の開口部が塞がれて蓋がされるようになっている。
【００３５】
開閉蓋２の内面のうち、前方側には内面全体を覆う断熱材４が設けられている。また、開閉蓋２の内面のうち、断熱材４が設けられた領域には、幅方向Ｗの全長にわたって延びる押圧壁部（仕切り部、押圧部）３が設けられている。押圧壁部３は、不図示の断熱材によって覆われている。また、押圧壁部３は、図３および図４に示すように、奥行方向Ｄの後方側に湾曲して形成されている。すなわち、押圧壁部３のうち、幅方向Ｗの中央部が、幅方向Ｗの両端部より、後方側に配置されている。
なお、ここで幅方向Ｗは、押圧壁部３の長手方向と同方向となる。
【００３６】
また、押圧壁部３の両端部には、底面（押圧面）３ａから側面にわたって円弧状に切り欠かれた一対の凹部３ｂが形成されている。さらに、押圧壁部３は、開閉蓋２が閉められたときに、底面３ａが前端底面部６ａの後端部に配置されるようになっている。また、底面３ａは、傾斜して形成されており、開閉蓋２が閉められたときに、前端底面部６ａに対して平行に配置されるようになっている。このときの、底面３ａと前端底面部６ａとの距離寸法は、飲料用袋体Ｆ内の水が底面３ａと前端底面部６ａとの間を流通しないような寸法に設定されている。なお、このとき、凹部３ｂの内周面と前端底面部６ａとの間には、飲料用袋体Ｆ内の水が流通する流路が形成される。
また、開閉蓋２の前方側には、固定用係合部１２が設けられている。固定用係合部１２は、開閉蓋２が閉められたときに、周壁部８に設けられた不図示の被係合部に係合して、開閉蓋２が開かないように固定するようになっている。
【００３７】
次に、このように構成された本実施形態における飲料水供給装置１の動作について説明する。
図５に示すように、開閉蓋２を開けた状態で、飲料用袋体Ｆを底面部６に載置する。このとき、底面部６の奥行方向Ｄの全長にわたって飲料用袋体Ｆを載置する。すなわち、飲料用袋体Ｆが、本体底面部６ｂと前端底面部６ａとにわたって配置される。そして、注水口Ｇを切り欠き部８ａに上方から嵌め込む。これにより、注水口Ｇが本体部７の前方に固定される。このとき、底面部６が前方に傾斜していることから、飲料用袋体Ｆも前方の注水口Ｇに向けて傾斜した状態になる。また、本体底面部６ｂは、上方に湾曲していることから、本体底面部６ｂ上の飲料用袋体Ｆも、上方に湾曲した状態になる。すなわち、飲料用袋体Ｆ内の水が、自重により、前方側と幅方向Ｗの両端部側とに流動して、留められた状態になる。
【００３８】
次いで、開閉蓋２を閉めていく。このとき、開閉蓋２の内面には、押圧壁部３が設けられていることから、底面３ａが飲料用袋体Ｆの外表面に接触する。さらに、開閉蓋２を閉めていくと、底面３ａが飲料用袋体Ｆの外表面を押圧していく。そして、開閉蓋２を閉めきったところで、固定用係合部１２を被係合部に係合して、開閉蓋２を固定する。このとき、図６に示すように、飲料用袋体Ｆの内部空間は、押圧壁部３によって、前方部屋（一部の部屋）Ｆ１と後方部屋Ｆ２とに仕切られた状態になる。すなわち、飲料用袋体Ｆ内の水が底面３ａと前端底面部６ａとの間を流通しないように規制される。なお、このとき、凹部３ｂの内周面と本体底面部６ｂとの間には、飲料用袋体Ｆ内の水が流通可能な流路が形成される。
【００３９】
さらに、電源部９ｃを駆動すると、ペルチェモジュール９ｂの吸熱部９ｂ１によって、前方部屋Ｆ１内の水が前端底面部６ａを介して冷却される。吸熱部９ｂ１は、前端底面部６ａのうち、幅方向Ｗの中央部に配置されていることから、前方部屋Ｆ１内の中央部の水から冷却されていく。さらに、前方部屋Ｆ１内の中央部から、その後方および幅方向Ｗの外方に向けて冷却されていく。
そして、吸熱部９ｂ１の熱は、放熱部９ｂ２に伝わって放熱される。このとき、放熱部９ｂ２の熱は、ファン９ａによって送られた空気によって、より効果的に放熱される。
この状態で、注水口Ｇを開くと、前方部屋Ｆ１内の中央部の冷却された水が注水口Ｇを介して外部に注水され、飲料水として利用される。
【００４０】
ここで、前方部屋Ｆ１内の水が注水されると、前方部屋Ｆ１内の水が減少する。そのため、後方部屋Ｆ２内の水が自重によって前方部屋Ｆ１に流動する。
このときの、水の流れについて詳細に説明する。
まず、本体底面部６ｂにより後方部屋Ｆ２が上方に湾曲した状態になっていることから、図７および図８に示すように、後方部屋Ｆ２内の水は、自重により、幅方向Ｗの両端部に向けて流動する。このときの水の流れを符号ＲＲ，ＲＬの矢印によって示している。
さらに、底面部６が前方に傾斜していることから、後方部屋Ｆ２内の水は、前方側に流動する。このとき、前方では押圧壁部３が水の流通を規制していることから、後方部屋Ｆ２内の中央部付近の水は、押圧壁部３の後方側の主面（湾曲している凸側の面）に案内されて、幅方向Ｗの両端部に流動する。このときの水の流れを符号ＦＲ，ＦＬの矢印によって示している。
【００４１】
さらに、凹部３ｂの内周面と前端底面部６ａとの間には、流路が形成されていることから、後方部屋Ｆ２内における幅方向Ｗの両端部の水は、流路を通って、前方部屋Ｆ１に流動していく。このときの水の流れを符号ＳＲ，ＳＬの矢印によって示している。
また、前方部屋Ｆ１の幅方向Ｗの両端部が断熱材５ａによって上方に持ち上げられていることから、前方部屋Ｆ１に流入した水は、幅方向Ｗの中央部に向かって流動していく。この間にも、吸熱部９ｂ１によって、前方部屋Ｆ１内の中央部の水から冷却され、前方部屋Ｆ１内の中央部から、その後方および幅方向Ｗの外方に向けて冷却されていく。
そして、注水口Ｇが再び開かれると、前方部屋Ｆ１内の中央部の水が注水される。
【００４２】
以上より、本実施形態における飲料水供給装置１によれば、押圧壁部３によって、飲料用袋体Ｆの内部空間を、互いに水の流動を規制しつつ、一部の流路を介して互いに連通した状態で、前方部屋Ｆ１と後方部屋Ｆ２とに仕切ることができるだけでなく、冷却部９によって、前方部屋Ｆ１内の少量の水のみを冷却することができる。そのため、すぐに利用される前方部屋Ｆ１内の水のみを短時間に冷却することができ、冷却コストを抑制することができる。さらに、前方部屋Ｆ１内の水を、タンクなどに一時的に貯留することなく、注水口Ｇから直接注水するため、長期にわたって衛生的な水を供給することができる。
また、押圧壁部３によって押圧するという簡易な動作だけで、飲料用袋体Ｆの内部空間を、前方部屋Ｆ１と後方部屋Ｆ２とに容易かつ確実に仕切ることができる。
【００４３】
また、開閉蓋２の内面に押圧壁部３が設けられていることから、開閉蓋２を閉めるという簡易な動作だけで、飲料用袋体Ｆの内部空間を、前方部屋Ｆ１と後方部屋Ｆ２とに容易かつ確実に仕切ることができる。
また、凹部３ｂが形成されていることから、前方部屋Ｆ１と後方部屋Ｆ２との流路を容易かつ確実に形成することができる。
また、凹部３ｂが押圧壁部３の幅方向Ｗの両端部に形成されるとともに、冷却部９が前方部屋Ｆ１の幅方向Ｗの中央部に配置されていることから、冷却されていない水が後方部屋Ｆ２から前方部屋Ｆ１内に流入してきた場合であっても、既に流入している前方部屋Ｆ１の幅方向Ｗの中央部の水を優先的に冷却することができる。そのため、後方部屋Ｆ２から前方部屋Ｆ１内に水が流入してきても、既に流入している前方部屋Ｆ１の中央部の冷却された水を優先的に注水することができる。
【００４４】
また、本体底面部６ｂが上方に湾曲していることから、後方部屋Ｆ２内を上方に湾曲させることができ、後方部屋Ｆ２内の水を自重により幅方向Ｗの両端部に流動させることができる。そのため、後方部屋Ｆ２内の水の残留を抑制することができ、後方部屋Ｆ２内の水を効率よく利用することができる。
また、前方部屋Ｆ１の周囲には、断熱材４，５ａと押圧壁部３を覆う不図示の断熱材とが設けられていることから、前方部屋Ｆ１内の水を冷却したときに生じる結露を防止することができる。また、断熱材を、主として前方部屋Ｆ１の周囲に設ければいいので、断熱材の材料費を削減することができる。
【００４５】
また、前端底面部６ａおよび本体底面部６ｂが前方に傾斜していることから、飲料用袋体Ｆを前方に傾斜させることにより、飲料用袋体Ｆ内の水を前方に流動させることができる。そのため、注水口Ｇから水を注水し易くすることができるだけでなく、飲料用袋体Ｆ内の水の残留を抑制することができる。
また、前端底面部６ａの傾斜角度θ１が、本体底面部６ｂの傾斜角度θ２よりも大きくなっていることから、本体底面部６ｂ上の飲料用袋体Ｆが前方に移動してしまうことを防止しつつ、注水口Ｇ付近の水の残留を効果的に抑制することができる。
また、押圧壁部３が、後方側に向けて湾曲していることから、後方部屋Ｆ２内の水が当たったときに、幅方向Ｗの両端部に緩やかに案内することができ、水の残留を抑制することができる。
【００４６】
（実施形態２）
次に、本発明の第２の実施形態について説明する。
図９は、本発明の第２の実施形態を示したものである。
この実施形態と上記第１の実施形態とは基本的構成は同一であり、ここでは主として異なる点について説明する。
本実施形態における飲料水供給装置１ａは、矩形板状の台座部２０ｂと、この台座部２０ｂから立ち上げられた収容部２０ａとを備えている。収容部２０ａの下方には、飲料用袋体Ｆａに設けられた注水口Ｇａを固定する固定孔（注水部）２５が形成されている。そして、収容部２０ａは、注水口Ｇａを固定した状態で、飲料用袋体Ｆａを立てたまま収容するようになっている。
【００４７】
また、収容部２０ａのうち、固定孔２５の上方には、収容部２０ａの幅方向Ｗ１に延びる一対の押圧壁部（仕切り部、押圧部）２２が設けられている。これら押圧壁部２２は、幅方向Ｗ１において互いに接近・離隔する方向にスライドするようになっている。また、押圧壁部２２の押圧面（互いに対向する面）２２ａの長手方向の後端には、それぞれの押圧面２２ａから後端面にわたって円弧状に切り欠かれた凹部２２ｂが形成されている。これら凹部２２ｂは、同サイズ・同形状に形成されている。これにより、押圧面２２ａが互いに接近した状態であっても、押圧壁部２２の長手方向後端には一対の凹部２２ｂによって半円状の流路が形成されるようになっている。なお、ここで押圧壁部２２の長手方向は、収容部２０ａの奥行方向Ｄ１と一致するものである。
また、固定孔２５と押圧壁部２２との間には、断熱材２３が設けられている。断熱材２３は、収容部２０ａの奥行方向Ｄ１の全長にわたって設けられている。なお、図９では、便宜上、収容部２０ａの前面のみに断熱材２３を示しているが、実際には断熱材２３は奥行方向Ｄ１の全長にわたっていることは言うまでもない。
さらに、固定孔２５の下方には、冷却部２４が配置されている。冷却部２４は、奥行方向Ｄ１の前方側に配置されている。
【００４８】
次に、このように構成された本実施形態における飲料水供給装置１ａの動作について説明する。
押圧壁部２２を互いに離隔させた状態で、押圧面２２ａの間を通して、飲料用袋体Ｆａを収容部２０ａに配する。そして、注水口Ｇａを固定孔２５に嵌合させる。これにより、注水口Ｇａが収容部２０ａの前方に固定された状態で、飲料用袋体Ｆａが収容部２０ａに収容される。
そして、押圧壁部２２を互いに接近する方向に移動させる。これにより、押圧面２２ａによって、飲料用袋体Ｆａが外方から内方Ｗ１Ｌ，Ｗ１Ｒに押圧され、下方部屋Ｆａ１と上方部屋Ｆａ２とに仕切られる。このとき、押圧面２２ａの間では水の流通が規制され、後方の凹部２２ｂによって形成された流路を通って水の流通が可能となる。
【００４９】
この状態で、注水口Ｇａを開けることにより、下方部屋Ｆａ１内の水が注水される。そして、下方部屋Ｆａ１内の水が注水されると、上方部屋Ｆａ２から下方部屋Ｆａ１に、流路を通って水が自重によって流動する。このときの水の流れを符号Ｂの矢印によって示している。すなわち、上方部屋Ｆａ２からの水は、下方部屋Ｆａ１の後方から下方部屋Ｆａ１内に流入する。そして、下方部屋Ｆａ１内の水は、冷却部２４によって前方側から冷却され、注水口Ｇａから注水されていく。
【００５０】
以上より、本実施形態における飲料水供給装置１ａによれば、第１の実施形態における飲料水供給装置１と同様の効果を奏することができるだけでなく、上方部屋Ｆａ２内の水を自重により効果的に下方部屋Ｆａ１内に流動させることができる。そして、飲料用袋体Ｆａ内の水の残留をさらに抑制することができる。
【００５１】
なお、本考案の技術範囲は上記第１および第２の実施形態に限定されるものではなく、本考案の趣旨を逸脱しない範囲において、種々の変更を加えることが可能である。
例えば、本体底面部６ｂが上方に湾曲して形成されているとしたが、これに限ることはなく、その形状は適宜変更可能である。具体的には、台形状、山状などであってもよい。
また、押圧壁部３が、後方に湾曲して形成されているとしたが、これに限ることはなく、その形状は適宜変更可能である。具体的には、台形状、山状などであってもよい。
また、押圧壁部２２の上端面を平坦にしているが、これに限ることはなく、その形状は適宜変更可能である。具体的には、湾曲状、台形状、山状などであってもよい。
また、押圧壁部２２の上端面を、後方側に傾斜させることもできる。これにより、上方部屋Ｆａ２内の水を自重により後方側の流路に案内することができる。
【００５２】
また、飲料用袋体Ｆ，Ｆａの内部空間を２つの部屋に仕切るとしたが、これに限ることはなく、その部屋数は、３つ以上であってもよい。その場合、２つ以上の部屋を冷却することも可能である。
また、注水部として切り欠き部８ａ、固定孔２５を設けるとしたが、これに限ることはなく、その構造は適宜変更可能である。例えば、飲料用袋体の注水口が配される孔部などであってもよく、注水口から孔部を介して飲料水を供給する注ぎ口が、飲料水供給装置１，１ａ側に設けられていてもよい。
また、飲料として、水としているが、その種類は適宜変更可能である。例えば、茶系飲料、コーヒー、ココア、ソフトドリンク、アルコールなどであってもよい。
【００５３】
また、図１０に示すように、飲料用袋体Ｆｂの内部をあらかじめ仕切っておいてもよい。すなわち、飲料用袋体Ｆｂの内面同士を接着部（袋体仕切り部）３０によって接着しておいてもよい。この飲料用袋体Ｆｂには、前方部屋Ｆｂ１と後方部屋Ｆｂ２とが、あらかじめ形成されており、飲料用袋体Ｆｂの幅方向Ｗ２の両端部は連通している。そのため、接着部３０によって、後方部屋Ｆｂ２から前方部屋Ｆｂ１への水の流通が規制されるとともに、幅方向Ｗ２の両端部から、水の流通が可能になっている。このような飲料用袋体Ｆｂによれば、飲料水供給装置１，１ａ側に、押圧壁部３，２２を設けることなく、構成を簡易にすることができる。
なお、袋体仕切り部として、接着部３０を設けるとしているが、これに限ることはなく、その構成は飲料用袋体Ｆｂ内の水の流通を規制するものであれば、適宜変更可能である。
また、幅方向Ｗ２の両端部から水の流通を可能としているが、これに限ることはなく、流通路の位置は適宜変更可能である。例えば、上記第２の実施形態に合わせて、幅方向Ｗ２の一端部にのみ流通路を設け、他端部に注水口Ｇｂを設けるようにしてもよい。
【符号の説明】
【００５４】
１，１ａ  飲料水供給装置（飲料供給装置）
２  開閉蓋
３，２２  押圧壁部（仕切り部、押圧部）
３ａ  底面（押圧面）
３ｂ  凹部
４，５ａ  断熱材
６  底面部
６ａ  前端底面部（注水用載置部）
６ｂ  本体底面部（収容用載置部）
７ａ，２０ａ  収容部
８ａ  切り欠き部（注水部）
９，２４  冷却部
２２ａ  押圧面
２５  固定孔（注水部）
３０  接着部（袋体仕切り部）
Ｆ，Ｆａ，Ｆｂ  飲料用袋体
Ｆ１，Ｆｂ１  前方部屋（部屋）
Ｆ２，Ｆｂ２  後方部屋（部屋）
Ｆａ１  下方部屋（部屋）
Ｆａ２  上方部屋（部屋）
Ｇ，Ｇａ，Ｇｂ  注水口
θ１，θ２・・・傾斜角度
【図１】
0003166296.tif 000003
【図２】
0003166296.tif 000004
【図３】
0003166296.tif 000005
【図４】
0003166296.tif 000006
【図５】
0003166296.tif 000007
【図６】
0003166296.tif 000008
【図７】
0003166296.tif 000009
【図８】
0003166296.tif 000010
【図９】
0003166296.tif 000011
【図１０】
0003166296.tif 000012